(57)【特許請求の範囲】
【請求項１】
受信したデジタル放送のコンテンツを録画する際に、正当権利者が有する携帯装置に格納された固有情報に基づいて暗号化鍵を生成し、前記受信したコンテンツを前記暗号化鍵によって暗号化した後に録画し、該録画されたコンテンツを再生する際には、正当権利者が有する前記携帯装置に格納された前記固有情報に基づいて生成した該暗号化鍵を用いて暗号解除することを特徴とするデジタル放送の録画におけるコンテンツ保護方法。
【請求項２】
前記携帯装置がＩＣカードであることを特徴とする請求項１に記載のデジタル放送の録画におけるコンテンツ保護方法。
【請求項３】
前記録画されたデータの暗号化を解除し再生する処理が耐タンパー化されていることを特徴とする請求項１または２に記載のデジタル放送の録画におけるコンテンツ保護方法。
【請求項４】
受信したデジタル放送のコンテンツを録画する際に、正当権利者が有する携帯装置に格納された固有情報に基づいて暗号化鍵を生成し、前記受信したコンテンツを前記暗号化鍵によって暗号化した後に録画し、該録画されたコンテンツを再生する際には、正当権利者が有する前記携帯装置に格納された前記固有情報に基づいて生成した該暗号化鍵を用いて暗号解除することを特徴とするるデジタル衛星放送受信システム。
【請求項５】
前記携帯装置がＩＣカードであることを特徴とする請求項４に記載のデジタル衛星放送受信システム。
【請求項６】
前記録画されたデータの暗号化を解除し再生する処理が耐タンパー化されていることを特徴とする請求項４または５に記載のデジタル衛星放送受信システム。
【発明の詳細な説明】
【０００１】
【発明の属する技術分野】
本発明はデジタル放送の録画におけるコンテンツ保護方法に関する。
【０００２】
【従来の技術】
最近では、デジタル放送が始まり、パソコンで、デジタル放送が受信できる環境を構築できるようになって、パソコンに搭載されるハードディスクなどのストレージデバイスが年々大容量化してきて、デジタル録画が可能な容量が搭載されるようになってきた。
【０００３】
しかし、録画システムの構築に関しては、コンテンツの著作権問題などが絡んで、実現が難しかった。なぜなら、パソコンで録画した場合、録画したデータは、簡単にパソコン上で複製ができてしまうからである。
【０００４】
しかし、個人で楽しむ範囲での録画は、権利として存在するはずである。そこで、Ｓｅｔ  Ｔｏｐ  Ｂｏｘ等では、データを複製しても持ち出せないように、Ｓｅｔ  Ｔｏｐ  Ｂｏｘに内蔵されているＨＤＤの中だけでの録画・再生に限定したデジタル録画を行っている。
【０００５】
【発明が解決しようとする課題】
ところが、上述のＳｅｔ  Ｔｏｐ  Ｂｏｘの場合には、コンテンツの録画の際に用いたＳｅｔ  Ｔｏｐ  Ｂｏｘがなければコンテンツの再生ができず、ＳｅｔＴｏｐ  Ｂｏｘの設置場所とは別の場所で録画済コンテンツを再生したい場合には、Ｓｅｔ  Ｔｏｐ  Ｂｏｘごと運ばなければならず、利便性に欠けるという問題があった。
【０００６】
しかしながら、録画データを容易に持ち運べるよう上述のように、パソコンのような情報機器を用いた場合では、録画したデータはファイルとして扱えるため、容易に録画したデータの複製ができてしまう。これでは、パソコンでのデジタル録画システムを作っても著作権問題が発生してしまう。
【０００７】
本発明は上記の点にかんがみてなされたもので、デジタル放送のコンテンツを録画しておくことができ、正当権利者のみが録画されたコンテンツを再生することができるようにしたデジタル放送の録画におけるコンテンツ保護方法を提供することを目的とする。
【０００８】
【課題を解決するための手段】
本発明は、上記の目的を達成するために、デジタル放送の録画におけるコンテンツ保護方法において、受信したデジタル放送のコンテンツを録画する際に、正当権利者が有する携帯装置に格納された固有情報に基づいて暗号化鍵を生成し、前記受信したコンテンツを前記暗号化鍵によって暗号化した後に録画し、該録画されたコンテンツを再生する際には、正当権利者が有する前記携帯装置に格納された前記固有情報に基づいて生成した該暗号化鍵を用いて暗号解除することを特徴とする。
【０００９】
【発明の実施の形態】
以下、本発明の実施の形態を図面を参照して説明する。
【００１０】
上述のように、録画データを複製し、それが配布されてしまったとしても、配布先で再生できなければ、コンテンツの著作権の保護は可能と考えられる。すなわち、録画する際に記録するデータに暗号をかけ、再生する際に暗号解除を行えば、仮に録画したデータを配布しても、配布先に暗号解除を行うプログラムがなければ配布したデータを再生することができなくする方法が有効である。
【００１１】
しかしながら、暗号を解除するプログラムも一緒に配布されてしまうと、暗号そのものが意味をなさなくなる。これに対しては、暗号を解除するための鍵を、暗号を解除するプログラムから取り出し、後から設定するようにすれば解決できる。
【００１２】
暗号を解除するための鍵として考えられるのは、パスワードやＣＰＵのＩＤやネットワークのアドレスなどが考えられる。パスワードに関しては、暗号解除のプログラムと一緒に配布できてしまう。ＣＰＵのＩＤやネットワークのアドレスの場合は、受信契約者が録画した環境以外では、録画したデータが再生できないため、録画することの利便性がなくなってしまう。受信契約者は、録画した場所以外においても再生したい場合があるからである。。
【００１３】
そこで、本発明では、受信契約者本人であることを判別するために、従来、有料放送やＰａｙ  Ｐｅｒ  Ｖｉｅｗ等に使われていたＩＣカード等を利用することによって、パソコンでのデジタル録画での録画・再生の動作の制限をかけることを実現する。いわゆるＩＣカードは、将来、電子マネー等の承認にも使われる可能性があり、個人の認証に利用される可能性が高い。
【００１４】
本発明によるデジタル放送の録画におけるコンテンツ保護方法は、デジタル放送を受信するシステムにおいて、デジタル情報で放送される番組の中で、ユーザーが選択し、受信した番組をデジタルで録画・再生するシステムの録画・再生の制限方法、たとえば受信契約者本人のみ録画・再生できる方法を実現している。
【００１５】
図１は、本発明の一実施の形態のシステム構成例として、パーソナルコンピュータ（以下「パソコン」という）のデジタル衛星放送を受信するシステムを示す図である。
【００１６】
図２は、図１に示したパソコン３の内部構成を示すブロック図である。
【００１７】
本実施の形態のシステムでは、図１に示すように、衛星１から放送される番組を、パラボラアンテナ２で受け、パソコン３で受信し、映像をＣＲＴ４に表示し、音声をスピーカー５で出力する。
【００１８】
デジタル衛星放送では、ＭＰＥＧ２方式の映像・音声圧縮技術が使われる。この映像・音声圧縮データを図２のストレージデバイス１０に記録すれば、デジタルデータでの録画ができ、従来のビデオテープへの録画のように、録画や再生の繰り返しによる映像・音声の劣化が発生しない。
【００１９】
しかし、パソコン３で、ストレージデバイス１０に記録した場合、録画や再生での劣化がないばかりではなく、複製を行った場合の劣化も発生せず、著作権の問題が出てきてしまう。そこで、デジタル衛星受信ボード６から、パソコン３の内部バス１４に映像・音声の圧縮データを出す前に、暗号化部１９で暗号化を行い、システムメモリ９へと転送する。システムメモリ９では、映像を再生するルーチン内部でのみ、暗号を解除し、録画では、暗号を解除せず暗号化された映像・音声データを記録するようにする。
【００２０】
暗号化するための乱数発生部２０では、ある設定値を元に乱数を発生させる。この設定値に、有料放送などで、契約チャンネルなどの受信に使われるＩＣカード２３を用いる。たとえば、ＩＣカード２３には、ＩＣカードの所有者毎に固有のカードＩＤと呼ばれる値が設定されいる。また、ＩＣカード２３には、番組契約をしている場合のみ返す値を保持しており、これらの値を利用することで、契約者以外もしくはＩＣカード所有者だけが録画したデータを再生でき、仮に、録画した人が他の人に録画したデータを譲渡しても、再生できないようにできる。契約者のＩＣカードを利用することで、契約者の家族でも契約者のＩＣカードが無ければ、録画したデータを再生することが出来ない。逆に、契約者がＩＣカードを、録画データを再生する際に使用すれば、契約者が再生したい場所で、再生が出来る。
【００２１】
以上のように、本発明では、データの暗号化とＩＣカードとの組み合わせで、デジタル録画システムでの再生条件の限定方法を、前述のように限定する方法を実現し、コンテンツを保護する方法を実現している。
【００２２】
以下、本実施の形態をさらに詳しく説明する。
【００２３】
図１に示すように、本実施の形態のシステムでは、衛星１よりデジタル放送の電波が送出され、パラボラアンテナ２で受ける。このパラボラアンテナ２は、デジタル衛星放送受信ボード６（図２参照）が搭載されているパソコン３に接続されている。受けた放送は、パソコン３で処理され、映像はＣＲＴ４に表示され、音声はスピーカー５から出力される。
【００２４】
図２に示すように、パラボラアンテナ２は、デジタル衛星放送受信ボード６のチューナーユニット部１５に接続される。衛星１から出力される電波は、パラボラアンテナ２によって集められて受信され、デジタル衛星放送受信ボード６に電波を送る。衛星１からパラボラアンテナ２を経由し、デジタル衛星放送受信ボード６までは、アナログ信号が経路を流れる。
【００２５】
デジタル衛星放送受信ボード６は、パソコン３の内部バス１４に接続されており、パソコン３の持っているＣＰＵ８によって制御されている。内部バス１４には、デジタル衛星放送受信ボード６の他に、ストレージデバイス１０、バスアービタ７、グラフィックス１１、サウンド処理部１３が接続されている。
【００２６】
バスアービタ７は、ＣＰＵ８からシステムメモリ９へのアクセスや、内部バス１４に接続されている様々なデバイスへのアクセス、さらに内部バス１４に接続されている各デバイスからの内部バス１４の使用要求を管理し、各デバイスに対して、適宜使用許可を出している。
【００２７】
バスアービタ７には、システムメモリ９およびＣＰＵ８が接続されており、グラフィックス１１にはフレームバッファ１２およびＣＲＴ４が接続されている。
【００２８】
ＣＰＵ８は、デジタル衛星放送受信ボード６の制御や、暗号化の解除や圧縮データのデコードやストレージデバイス１０へのデータやプログラムの入出力や、グラフィックス１１に対して表示データの転送などの制御を行っている。
【００２９】
システムメモリ９には、ＣＰＵ８がパソコン３全体を制御するためのプログラムやデータが格納されている。
【００３０】
グラフィックス１１は、ＣＲＴ４に表示するためのデータをフレームバッファ１２に対して書き込み・変更・読み出しを行っている。
【００３１】
フレームバッファ１２には、ＣＲＴ４に表示するためのデータや、グラフィックス１１が制御するために必要なメモリなどが用意されている。
【００３２】
サウンド処理部１３は、外部からの音をＡ／Ｄ変換してシステムメモリ９に転送したり、システムメモリ９にある出力用の音データをＤ／Ａ変換してスピーカー５から出力する。
【００３３】
次に、図２に示したデジタル衛星放送受信ボード６の構成について説明する。
【００３４】
チューナーユニット部１５は、衛星１から出力された電波をパラボラアンテナ２を介して受け、復調や誤り訂正の処理をして、デジタルの信号を取り出す。取り出された信号は、デジタル衛星放送で採用されているＭＰＥＧ２のＴｒａｎｓｐｏｒｔ  Ｓｔｒｅａｍ形式（以下、「ＴＳ」という）のデジタルデータとなっている。
【００３５】
図３はＴＳの構成を示す図である。
【００３６】
ＴＳは、図３に示すような構造となっており、ＴＳパケットという１８８Ｂｙｔｅ単位のパケットで構成される。ＴＳパケットには、図３に示すように、ＰＩＤと呼ばれるパケットのＩＤが用意されていて、情報を区別、管理するために使われている。
【００３７】
チューナーユニット部１５から出されるＴＳは、デスクランブル部１６に入力される。デスクランブル部１６は、有料放送などを受信する場合の暗号解除に使われる。有料放送など契約が必要な番組は、ＴＳのＰａｙｌｏａｄ部分が暗号化されている。そのため、番組契約者が受信する場合に、デスクランブル部１６で、契約番組のＰａｙｌｏａｄ部分の暗号を解除し、番組データとして扱えるようにする。未契約者の場合、Ｐａｙｌｏａｄ部分が暗号化されたままなので、番組データが取り出せず、番組を見ることが出来ない。デスクランブル部１６の出力は、ＰＩＤフィルタ部１７に入力される。
【００３８】
ＰＩＤフィルタ部１７では、ＴＳパケット内にあるＰＩＤを監視し、ＣＰＵ８から指定されたＰＩＤのみを、セレクタ１８に通す。また、ＰＩＤフィルタ１７では、セレクタ１８にある２つのＴＳの通り道のどちらを使うか、選択指定も行う。
【００３９】
セレクタ１８からは、暗号化部１９および内部バス１４の両方に接続する。セレクタ１８は、ＰＩＤフィルタ部１７によって制御される。暗号化が必要なＴＳパケットは、暗号化部１９に送り、暗号化が必要ないＴＳパケットは、内部バス１４を経由してシステムメモリ９に送る。
【００４０】
乱数発生部２０は暗号化部１９に接続する。乱数発生部２０は、ＣＰＵ８からの設定値を元にして乱数を発生し、暗号化部１９に対して乱数を渡す。
【００４１】
暗号化部１９は、内部バス１４に接続する。暗号化部１９では、乱数発生部２０から受け取った乱数を使って、セレクタ１８から受け取ったＴＳパケットを暗号化し、システムメモリ９に転送する。
【００４２】
周辺制御部２１は、デジタル衛星放送受信ボード６の各部と接続し、内部バス１４に接続している。たとえば、チューナーユニット部１５とは、一般的にはＩ２Ｃバスで接続される。
【００４３】
ＩＣカードＩ／Ｆ部２２は、周辺制御部２１と接続し、ＩＣカード２３と接続する。
【００４４】
ＣＰＵ８は、デジタル衛星放送受信ボード６の各部の制御を、周辺制御部２１を介して行う。
【００４５】
次に図４を参照して、図２に示したシステムメモリ９の中に構成されるプログラムの機能に関して説明をする。
【００４６】
図４は、図２に示したシステムメモリ９の中のプログラム構成を示すブロック図である。
【００４７】
番組情報管理部２４は、デジタル衛星放送受信ボード６から番組情報を受け取って、番組情報を分析し、録画の可否を管理し、番組表を作成し、ユーザーに番組情報を伝える。番組情報管理部２４は、さらに、ユーザーからの録画指示や録画したデータの再生指示を受けた場合など、ユーザーの制御による動作をデータ制御部２６に伝える。
【００４８】
データ制御部２６では、番組情報管理部２４からの制御指示により、暗号化部１９を通ってきたＴＳパケットを暗号解除部２７や録画再生管理部２５へ送ったり、録画再生管理部２５に対して録画したデータの読み出しを指示したりする。
【００４９】
録画再生管理部２５は、データ制御部２６の指示により、ストレージデバイス１０に対して、録画データの書き込みや録画データの読み出しを行う部分である。
【００５０】
暗号解除部２７は、データ制御部２６から受け取ったＴＳパケットの暗号を解除し、ソフトウェアＭＰＥＧ２デコーダ部２８に送る。ソフトウェアＭＰＥＧ２デコーダ部２８では、受け取ったＴＳパケットをデコードし、映像を図２に示したグラフィックス１１に送り、音声を図２に示したサウンド処理部１３に送る。
【００５１】
ところで、暗号解除部２７とソフトウェアＭＰＥＧ２デコーダ部２８では、暗号の解除されたＭＰＥＧ２のストリームを処理するため、悪意のプログラムの改造によって生のＭＰＥＧ２のストリームを取り出されるおそれがある。そのため、モジュール自体の解析を困難にするための対策（耐タンパー化）が施されている。
【００５２】
以上の構成によってデジタル放送の録画におけるコンテンツ保護方法を実現する。
【００５３】
次に、本実施の形態の動作に関して、図１から図４を参照しながら説明を行う。
【００５４】
まず、放送を受信する場合、ユーザーが受信したいチャンネルを選択する。ユーザーがチャンネルを選択すると、図４に示した番組情報管理部２４が、ユーザーによって選択された番組を受信する電波の周波数を取得し、図２に示したチューナーユニット部１５に受信周波数を設定する。次に、番組を受信するために必要なＰＩＤや、番組情報などの放送を受信するために必要な情報を入手するためのＰＩＤを選び出し、ＰＩＤフィルタ部１７に設定する。また、セレクタ１８が持つ２つのＴＳの通り道のどちらを通すか設定する。映像、音声の圧縮データは、暗号化部１９を通すように設定し、番組情報などは、内部バス１４にそのまま流す。
【００５５】
番組によっては、録画、再生の制限に違いがある。そこで、番組情報管理部２４が、受信番組情報から適切な値を乱数発生部２０に設定する。番組によって録画、再生に関して、次の３つの条件が想定される。
１．録画禁止。
２．録画は可能だが、複製は禁止。
３．録画も複製も可能。
【００５６】
上記の３つの条件に関して、それぞれの動作について説明する。
【００５７】
項番１の「録画禁止」の場合は、番組情報管理部２４で、ユーザーが録画指示を行えないような動きをする。
【００５８】
項番３の「録画も複製も可能」の場合は、ユーザーが録画したデータを、他の人に貸した場合に、貸した人も再生できるようにする必要が出てくる。そこで、乱数発生部２０への設定値には、ユーザー固有の情報は使わない値を設定する場合と、暗号化そのものを行わない場合とが考えられる。録画データの再生時には、ユーザー固有のデータが必要ないため、再生や複製は可能となる。
【００５９】
項番２の「録画は可能だが、複製は禁止」の場合の動作が、本発明のポイントであるが、乱数発生部２０への設定値に、ユーザー固有の情報を利用する。ユーザー固有のデータとして、契約情報などを格納するのに利用しているＩＣカード２３を利用する。ＩＣカード２３には、カードごとに別々の情報が書き込まれており、これを利用する。
【００６０】
それにより前述の、本人の部屋で再生する場合に、このＩＣカード２３を再生システムにセットすれば、録画したデータを再生することが出来る。このＩＣカード２３が家族全員分あれば、家族間でもデータの再生の制限がかけられる利点がある。また、番組の契約情報を元にすれば、番組の契約期間だけ、録画したデータの再生を可能とする制限がかけられる。
【００６１】
こうして暗号化されたＴＳは、図４に示したデータ制御部２６が受け取る。データ制御部２６では、番組情報管理部２４から、録画指示があった場合、録画再生管理部２５に、暗号がかかったＴＳを送るのと同時に、再生のために暗号解除部２７に送る。また、データ制御部２６は、暗号解除に必要な情報を暗号解除部２７に送る。録画したデータの再生指示があった場合には、録画再生管理部２５に対して、ユーザーの再生したい録画データの読み出し指示を出す。録画再生管理部２５は、録画の場合、ストレージデバイス１０に対して暗号のかかったＴＳだけでなく、番組情報も管理用に書き込む。録画したデータの再生の場合には、ストレージデバイス１０に格納されている管理用の番組情報から再生すべきデータファイルを検索し、データ制御部２６にデータを渡す。
【００６２】
番組情報管理部２４では、番組の情報を管理し、ユーザーが選択した番組が、「録画禁止」、「録画は可能だが、複製は禁止」、「録画も複製も可能」など、録画、再生にどのような制限がかけられているかの分析を行い、番組の放送時間などの情報を解析し、ユーザーに伝えるためのデータを作成する。「録画禁止」の場合には、ユーザーが録画を指示できないような制御をする。また、録画、再生の制限のかけ方によって、乱数発生部２０に設定する設定値を決める。
【００６３】
暗号解除部２７は、データ制御部２６から受け取ったデータの暗号を解除する。暗号解除部２７は、暗号解除に必要な情報を、データ制御部２６から受け取る。すなわち、暗号解除部２７は、乱数発生部２０に設定する値、もしくは、設定値を算出するために使った値を受け取り、暗号解除のための鍵を算出し、暗号がかかったＴＳの暗号を解除する。そして、暗号を解除したＴＳをソフトウェアＭＰＥＧ２デコーダ部２８に送る。
【００６４】
ソフトウェアＭＰＥＧ２デコーダ部２８は、暗号解除部２７から受け取ったＴＳをデコードし、映像・音声データにデコードする。デコードしたデータは、それぞれ、映像データはグラフィックス１１を介してＣＲＴ４に表示し、音声データはサウンド処理部１３を介してスピーカー５より音を鳴らす。
【００６５】
次に、本発明の他の実施の形態について、図５および図６を参照して説明を行う。なお、本実施の形態のシステム構成は図１と同様であるので、以下の説明では図１を参照し、詳しい説明は省略する。
【００６６】
図５は、本発明の他の実施の形態における、図１に示したパソコン３の内部構成を示すブロック図である。
【００６７】
図６は、図５に示したシステムメモリ９の中のプログラム構成を示すブロック図である。
【００６８】
前述の実施の形態では、契約が必要な有料放送を受信する際に、図２に示したデスクランブル部１６で、一旦暗号を解除し、再度暗号化部１９で暗号化を行っているが、本実施の形態はこの部分を削除したシステムである。
【００６９】
図５に示すチューナーユニット部１５から出力されたＴＳは、ＰＩＤフィルタ部１７で、必要なＰＩＤだけフィルタして、システムメモリ９に転送される。システムメモリ９に転送されたＴＳは、まずソフトウェアセレクタ２９によって、番組情報管理部２４に送られる番組情報と、データ制御部２６に送られる映像、音声の圧縮データとに振り分けられる。
【００７０】
データ制御部２６は、暗号解除部２７に対して、映像、音声の圧縮データが入っているＴＳを送るのだが、有料放送の場合は、Ｐａｙｌｏａｄの部分が暗号化されている。この有料放送のＴＳに対して、暗号解除部２７は、前述の実施の形態でのデスクランブル部１６と同じ暗号解除を行う。
【００７１】
有料放送では、Ｐａｙｌｏａｄの部分の暗号の解除に、ＩＣカードからの情報を鍵として使う。そのため、本実施の形態でも、録画した本人の持つＩＣカードが再生には必要となり、録画したデータの再生の制限が実現できる。
【００７２】
本実施の形態を用いれば、録画したデータを、契約チャンネルの契約期間中だけ再生できるようにすることも可能である。たとえば、学習番組などで、復習用には再生できても、テスト期間中は、過去の学習番組の録画データが再生できない、という運営も実現できる。この場合、録画するデータに、スクランブルを解除するデータを入れず、ＩＣカードに対して、スクランブルを解除する鍵を生成する元のデータを加えることで実現できる。契約期間中であれば、ＩＣカードは、スクランブルを解除する鍵を生成してくれ、スクランブルを解除することが出来るが、契約期間を過ぎると、ＩＣカードは、スクランブルを解除する鍵を生成しなくなるため、録画したデータを再生することが出来なくなる。
【００７３】
さらに、その他の実施の形態として、図２や図５に示したチューナーユニット部１５を、今後放送開始予定のデジタル地上波チューナーユニットやデジタルＣＡＴＶチューナーユニットに変更すれば、デジタル地上波放送やデジタルＣＡＴＶ放送などのデジタル放送受信システムでも、録画におけるコンテンツ保護が実現できる。
【００７４】
なお、上述の実施の形態では、ＩＣカードの情報に基づいて録画の際の暗号化の鍵を生成するようにしたが、本発明はこれに限らず、録画、再生を行う権利を有する正当権利者の個別情報が所有する何等かの携帯装置の情報に基づいて録画の際の暗号化の鍵を生成するようにしてもよい。
【００７５】
【発明の効果】
本発明による第１の効果は、デジタル放送を、デジタルのままで録画しても、著作権を保護するシステムを実現できることにある。録画したデータの再生には、制限をかけられるため、無差別に配布したり、販売することが出来ない。
【００７６】
第２の効果は、デジタル録画したデータの再生に関して、より個人に限定した方法を実現することにある。家族間でも、録画したデータを勝手に再生することが出来ないようなセキュリティを実現できる。
【００７７】
第３の効果は、録画による課金が容易に行えることにある。システム全体で録画、再生の管理を行えるため、録画の管理が厳密に行えるシステムを実現できる。
【００７８】
本発明では、番組を暗号化する鍵に、番組受信契約者の所持しているＩＣカードの情報を元に算出されるデータを利用する。従って、録画したデータを再生する際には、受信契約者の所持しているＩＣカードがないと再生できない。それにより、録画したデータを配布しても、配布先では再生できない。
【００７９】
受信契約者が録画を実施したシステムと同じシステムが他の場所にあっても、受信契約者の所持するＩＣカードがない場合は、受信契約者が録画したデータを再生することはできない。
【００８０】
また、受信契約者は、録画したデータを再生する際にＩＣカードを利用し再生する。従って、録画データとＩＣカードがあれば、別の場所に構築された録画システムで、録画データを再生することができる。
【００８１】
また、ＩＣカードを用いることで、録画したデータの再生出来る期間を制限できる。
【図面の簡単な説明】
【図１】本発明の一実施の形態のシステム構成例として、パソコンのデジタル衛星放送を受信するシステムを示す図である。
【図２】図１に示したパソコンの内部構成を示すブロック図である。
【図３】ＴＳの構成を示す図である。
【図４】図２に示したシステムメモリの中のプログラム構成を示すブロック図である。
【図５】本発明の他の実施の形態における、図１に示したパソコンの内部構成を示すブロック図である。
【図６】図５に示したシステムメモリの中のプログラム構成を示すブロック図である。
【符号の説明】
１  衛星
２  パラボラアンテナ
３  パソコン
４  ＣＲＴ
５  スピーカー
６  デジタル衛星放送受信ボード
７  バスアービタ
８  ＣＰＵ
９  システムメモリ
１０  ストレージデバイス
１１  グラフィックス
１２  フレームバッファ
１３  サウンド処理部
１４  内部バス
１５  チューナーユニット部
１６  デスクランブル部
１７  ＰＩＤフィルタ部
１８  セレクタ
１９  暗号化部
２０  乱数発生部
２１  周辺制御部
２２  ＩＣカードＩ／Ｆ部
２３  ＩＣカード
２４  番組情報管理部
２５  録画再生管理部
２６  データ制御部
２７  暗号解除部
２８  ソフトウェアＭＰＥＧ２デコーダ部
２９  ソフトウェアセレクタ
【図１】
0003551847.tif 000002
【図２】
0003551847.tif 000003
【図３】
0003551847.tif 000004
【図４】
0003551847.tif 000005
【図５】
0003551847.tif 000006
【図６】
0003551847.tif 000007